(57)【要約】【課題】  什器に収納される物品の収納部の場所を利用者が容易に特定できる物品情報の読出装置を備える什器を提供すること。【解決手段】  什器１の収納部１０２内にＲＦＩＤタグ３０が付された物品１４が収納され、予め読出装置４４が配設された仕切板５０に報知装置１１２を設けることにより、物品の収納部１０２の場所が検出されているので、この収納部１０２の場所を報知装置１１２によって利用者に対して報知でき、利用者に容易に物品の収納場所１０２を特定させることができる。【選択図】  図５
2005149343.tif 000002
【特許請求の範囲】
【請求項１】
前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記収納部は仕切板により複数に区画され、該仕切板には前記読出装置が配設されているとともに、物品の収納部の場所を利用者に報知可能な報知装置が設けられている。
【請求項２】
前記報知装置は前記仕切板の収納部開口側に設けられている請求項１に記載の物品情報の読出装置を備える什器。
【請求項３】
前記仕切板には区画される収納部に対応して報知可能な報知装置が設けられる請求項１または２に記載の物品情報の読出装置を備える什器。
【請求項４】
前記報知装置はランプまたはスピーカ、もしくはその両者である請求項１乃至３のいずれかに記載の物品情報の読出装置を備える什器。
【請求項５】
前記仕切板は収納部に対して、その取付位置を変更できる請求項１乃至４のいずれかに記載の物品情報の読出装置を備える什器。
【発明の詳細な説明】
【技術分野】
【０００１】
本発明は、物品情報が記録されたＲＦＩＤタグの情報を読み出すための読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
【特許文献１】特開平７−１８２３５７号公報（段落００１１−００２２、第１−３図）
【発明の開示】
【発明が解決しようとする課題】
【０００５】
しかしながら、上記文献１のように物品情報によって什器に収納される物品の管理を行うものにおいて、利用者が実際に什器から物品を取り出す場合には、什器内を区画するどの収納部に利用者が目的とする物品が収納されているのかわからず、利用者自身で什器に収納される複数の物品から目的の物品を探し出す必要があることから、物品の取り出しに手間と時間が掛かることがあった。
【０００６】
そこで本発明は、このような問題点に着目してなされたもので、什器に収納される物品の収納部の場所を利用者が容易に特定できる物品情報の読出装置を備える什器を提供することを目的とする。
【課題を解決するための手段】
【０００７】
上記課題を解決するために、本発明の請求項１に記載の物品情報の読出装置を備える什器は、前面に形成された開口より、ＲＦＩＤタグが取り付けられた物品が収納可能になっている収納部を備え、該収納部には物品情報が記録された前記ＲＦＩＤタグの情報を読み出す読出装置が備えられる什器であって、少なくとも前記収納部を構成する背面板または側面板は電磁遮蔽材によって構成され、前記収納部は仕切板により複数に区画され、該仕切板には前記読出装置が配設されているとともに、物品の収納部の場所を利用者に報知可能な報知装置が設けられていることを特徴としている。
この特徴によれば、予め読出装置が配設された仕切板に報知装置を設けることにより、物品の収納部の場所が検出されているので、物品の収納部の場所を報知装置によって報知させることで、収納部の場所を利用者に対して報知でき、利用者に容易に収納部の場所を特定させることができる。
【０００８】
本発明の請求項２に記載の物品情報の読出装置を備える什器は、請求項１に記載の物品情報の読出装置を備える什器であって、前記報知装置は前記仕切板の収納部開口側に設けられていることを特徴としている。
この特徴によれば、報知装置が利用者に対面する収納部開口側に向くように仕切板に設けられるので、什器の開口側に利用者が近づくだけで容易に収納部の場所が認識できる。
【０００９】
本発明の請求項３に記載の物品情報の読出装置を備える什器は、請求項１または２に記載の物品情報の読出装置を備える什器であって、前記仕切板には区画される収納部に対応して報知可能な報知装置が設けられることを特徴としている。
この特徴によれば、より細かく物品の収納部の場所を報知装置によって特定することができる。
【００１０】
本発明の請求項４に記載の物品情報の読出装置を備える什器は、請求項１乃至３のいずれかに記載の物品情報の読出装置を備える什器であって、前記報知装置はランプまたはスピーカ、もしくはその両者であることを特徴としている。
この特徴によれば、利用者はランプによる表示効果によって一目で物品が収納される収納部を視認でき、あるいはスピーカから発する音によってすぐに利用者は物品が収納される収納部を特定することができる。
【００１１】
本発明の請求項５に記載の物品情報の読出装置を備える什器は、請求項１乃至４のいずれかに記載の物品情報の読出装置を備える什器であって、前記仕切板は収納部に対して、その取付位置を変更できることを特徴としている。
この特徴によれば、仕切板の位置を所望の位置に移動させても、収納部の場所を常に利用者に報知できる。
【発明を実施するための最良の形態】
【００１２】
本発明の実施例を以下に説明する。
【実施例１】
【００１３】
図１に示されるように、本発明の実施例１の什器１が適用される物品管理システムの構成を示すブロック図が示されており、物品が収納される什器１は複数設置（本実施例では３台設置）されており、これら什器１は通信ケーブル２を介して中継装置１１に接続されており、中継装置１１は通信ケーブル２を介して什器アンテナ１０に接続されている。
【００１４】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１５】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１６】
什器１はラテラル２００の上部に書庫１００を載置した構成となっており、書庫１００には上棚収納部１０１と下棚収納部１０２が形成され、ラテラル２００には引き出し２０１、２０２、２０３、２０４が備えられており、これらの収納部にファイルやカルテ等の書類を収納するファイルケースや書籍等の物品７が収納されている。後述において詳述するが、什器１に収納されるファイルケースや書籍等の物品には、個々にＲＦＩＤタグが貼付されている。
【００１７】
書庫１００の上棚収納部１０１や下棚収納部１０２には、後述において詳述するが読出装置としてのＲＦＩＤアンテナが配設されており、ＲＦＩＤタグからの物品情報を含む電磁波を受信可能になっている。ＲＦＩＤアンテナは通信ケーブル２、中継装置１１、什器アンテナ１０、管理アンテナ９を介して、管理コンピュータ３に接続されており、これら什器１に収納されるＲＦＩＤタグの物品情報のデータが管理コンピュータ３に送信されることで、管理コンピュータ３で複数の什器１に収納される物品の管理を一元的に行えるようになっている。
【００１８】
また、後述において詳述するが書庫１００には、解錠ランプ１１５、施解錠装置１１７、スピーカ１１６、上棚指示ランプ１１１、下棚指示ランプ１１２が設けられており、前述のＲＦＩＤアンテナと同様に通信ケーブル２、中継装置１１、什器アンテナ１０、管理アンテナ９を介して、管理コンピュータ３に接続されており、管理コンピュータ３で一元的に什器１を制御可能になっている。
【００１９】
図２（ａ）に示されるように書庫１００には、前面がガラス扉１３によって構成されており、ガラス扉１３は左右に開閉可能な引戸構造になっており、左右それぞれに形成された左手掛部１３ｂや右手掛部１３ａで扉を開放できるようになっている。
【００２０】
正面下方には右側より、解錠ランプ１１５、施解錠装置１１７、スピーカ１１６が設けられている。施解錠装置１１７は手動によって外部から施解錠させることもできるが、通常は管理コンピュータ３からの制御データに基づいて、ガラス扉１３の施解錠が行われるようになっている。ガラス扉１３の解錠が行われると解錠ランプ１１５が点灯し、旋錠が行われると解錠ランプ１１５が消灯する構成になっている。スピーカ１１６は解錠ランプ１１５の代替手段として設けられており、ブザー等で報知できるようになっている。
【００２１】
図２（ｂ）に示されるように、書庫１００の収納部は棚板２５によって、上棚収納部１０１と下棚収納部１０２とに区分されており、上棚収納部１０１にはファイルケース１４、下棚収納部１０２には書籍１５が収納されている。さらに下棚収納部１０２には仕切板５０が取り付けられており、この仕切板５０によって下棚収納部１０２が左右に区分され、下棚左収納部１０２ｂ、下棚右収納部１０２ａが形成される。
【００２２】
棚板２５には上棚指示ランプ１１１、仕切板５０には下棚指示ランプ１１２がそれぞれ設けられており、管理コンピュータ３からの制御データに基づいて、これらランプの点灯消灯が制御されるようになっている。
【００２３】
そこで、本実施例の什器１が適用された物品管理システムの物品の貸出方法に基づいて、上棚指示ランプ１１１と下棚指示ランプ１１２の説明すると、書籍１５の貸出しを希望する利用者によって、図１に示される入力端末４より所望の書籍１５がリストアップされ、貸出し予約が行われる。
【００２４】
管理コンピュータ３は入力端末４からの貸出し予約に基づいて、該当する書籍１５が収納される什器１の収納場所（本実施例においては書庫１００の下棚収納部とする）を特定する。
【００２５】
そして、管理コンピュータ３は特定された収納場所である書庫１００の施解錠装置１１７に解錠信号、解錠ランプ１１５と下棚指示ランプ１１２に点灯信号を送信する。
【００２６】
管理コンピュータ３からの解錠信号に基づいて施解錠装置１１７が解錠され、点灯信号に基づいて図２（ｂ）に示されるように、解錠ランプ１１５と下棚指示ランプ１１２が点灯される。
【００２７】
そこで、解錠ランプ１１５の点灯を目印に書籍１５の収納場所まで利用者に移動してもらうとともに、すでに解錠信号によって解錠されたガラス扉１３を利用者に開放してもらう。
【００２８】
下棚指示ランプ１１２は、前述の管理コンピュータ３からの点灯信号に基づいて、予め点灯していることから、利用者に対して下棚収納部１０２に貸出し予約された書籍１５がある旨の報知がなされる。
【００２９】
利用者によって貸出し予約された書籍１５が下棚収納部１０２から取り出されると、下棚収納部１０２に配設されたＲＦＩＤアンテナが、書籍１５に貼付されたＲＦＩＤタグからの電磁波を受信できなくことから、管理コンピュータ３は書籍１５の貸出しが行われたと判断し、貸出し完了となる。
【００３０】
また、利用者が誤って貸出し予約した書籍１５とは違う書籍１５を下棚収納部１０２から取り出した場合や、下棚収納部１０２に貸出し予約した書籍１５とは違う他の書籍１５が収納された場合には、管理コンピュータ３から下棚指示ランプ１１２やスピーカ１１６、解錠ランプ１１５に対してエラー信号を送信し、ランプの点滅やブザーによる報知を行うことで、利用者や管理者にエラー報知を行うようになっている。
【００３１】
次に、下棚収納部１０２に取り付けられた仕切板５０と下棚指示ランプ１１２の構成と、ＲＦＩＤアンテナとＲＦＩＤタグの関係を図３、図４、図５を用いて、さらに詳述して説明する。
【００３２】
図３に示されるように、書庫１００の内部空間は電磁遮蔽材である棚板２５によって上下に区画され、上棚収納部１０１、下棚収納部１０２が形成されている。下棚収納部１０２は、電磁遮蔽材である背面板１７、側面板１９、底板として構成されている棚板２６、とガラス扉１３から構成されている。下棚収納部１０２には、棚板２５と棚板２６の間に仕切板５０が取り付けられ、仕切板５０にはＲＦＩＤタグの読出装置に相当する仕切ＲＦＩＤアンテナ４４が配設されている。
【００３３】
この仕切板５０の構成と取付構造を図４を用いて説明する。この図４は下棚収納部１０２の開口側である前面下方側より上方に棚板２５、２６を見上げた斜視図が示されている。
【００３４】
仕切板５０は仕切本体５１と蓋５２からなり、内部に仕切ＲＦＩＤアンテナ４４納められている。仕切本体５１の上部には、２つの突起５１ａが前後に所定の間隔をもって上方に延出するように形成されており、同様に下部にも２つの突起５１ｂが前後に所定の間隔をもって下方に延出するよう形成されている。
【００３５】
仕切本体５１の前面側上部には下棚指示ランプ１１２が設けられている。仕切本体５１内部には仕切ＲＦＩＤアンテナ４４が所定の位置に配設されている。下棚指示ランプ１１２と仕切ＲＦＩＤアンテナ４４は、それぞれ通信ケーブル２に接続されており、これら通信ケーブル２は１つに束ねられて後面側下部から背面板１７を介して外方に配線されている（図３参照）。
【００３６】
仕切本体５１の前後面の内面側には条溝（図示略）が形成されており、蓋５２が嵌挿されることで仕切板５０を構成している。なお蓋５２は、例えば書籍１５の収納時における傷や故障等の発生を未然に防ぐ仕切ＲＦＩＤアンテナ４４の保護被膜の効果も有している。
【００３７】
棚板２５の底部には、前後に所定の間隔をもって凸条部２７が形成されており、凸条部２７の頂部には取付穴２７ａが複数設けられている。棚板２６の上部には、前後に所定の間隔をもって取付穴２６ａが複数設けられている。
【００３８】
仕切板５０を下棚収納部１０２に取り付けるには、所望の取付位置に対応する棚板２５の取付穴２７ａと棚板２６の取付穴２６ａを特定し、仕切板５０を左右の一方に傾斜させながら突起５１ａ、５１ｂを取付穴２７ａ、２６ａに挿通させ、棚板２５、２６の間に位置決め固定する。
【００３９】
次に、仕切板５０を上方に持ち上げながら、特定された取付穴２７ａに突起５１ａを挿入させていき、棚板２５、２６と仕切板５０との位置関係を垂直に保たせる。そして、仕切板５０を垂直に保たせながら、特定された取付穴２６ａに突起５１ｂを挿入させることで、図３に示されるように仕切板５０は下棚収納部１０２に取り付けられ、仕切板５０に配設された仕切ＲＦＩＤアンテナ４４は、常に背面板１７から所定間隔（Ｌ１）で離間され、同様に棚板２６からも所定間隔（Ｌ２）で離間される。
【００４０】
このことから、報知装置である下棚指示ランプ１１２が利用者に対面する下棚収納部１０２の開口側に向くように仕切板５０に設けられるので、利用者は開口側に近づくだけで下棚指示ランプ１１２の点灯を視認でき、容易に物品の収納される収納部の場所が特定できる。
【００４１】
なお、ＲＦＩＤアンテナと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００４２】
そこで、本実施例においては図３に示されるように、仕切板５０に配設される仕切ＲＦＩＤアンテナ４４と背面板１７との間隔（Ｌ１）を５０ｍｍとし、仕切ＲＦＩＤアンテナ４４と棚板２６との間隔（Ｌ２）を５０ｍｍとし、仕切ＲＦＩＤアンテナ４４とガラス扉１３との間隔（Ｌ３）を５０ｍｍとし、図５に示した仕切ＲＦＩＤアンテナ４４の側面板１９からの距離は、５０ｍｍとした（Ｌ４）の長さ以上にする。
【００４３】
なお、図３に示されるように本実施例の什器１では、非電磁遮蔽材であるガラス扉１３が利用されているので、仕切ＲＦＩＤアンテナ４４とガラス扉１３との間隔（Ｌ３）を設けなくとも、ＲＦＩＤアンテナとＲＦＩＤタグとの電磁波の送受信には特に問題はないが、書庫１００の前面扉がガラス扉１３ではなく、特にスチール等の電磁遮蔽材によって構成される場合も想定して、予め電磁波が影響を受けないように間隔（Ｌ３）が設けられている。
【００４４】
図５に示されるように、下棚収納部１０２には下棚指示ランプ１１２の設けられた仕切板５０が取り付けられており、この仕切板５０によって下棚収納部１０２が下棚右収納部１０２ａと下棚左収納部１０２ｂとに区画され、これら下棚右収納部１０２ａと下棚左収納部１０２ｂには、書籍１５が複数収納されており、書籍１５の両側面にはＲＦＩＤタグ３０が貼付されている。
【００４５】
棚板２５、２６に複数形成される取付穴２７ａ，２６ａは、いずれの取付穴に仕切板５０が取り付けられた場合であっても、常に左右の側面板１９から仕切板５０に配設される仕切ＲＦＩＤアンテナ４４を所定間隔（Ｌ４）以上離間させる構成になっている
【００４６】
このように、仕切板５０がいずれの取付位置に取り付けられても、仕切ＲＦＩＤアンテナ４４は電磁遮蔽材で構成される背面板１７、側面板１９、棚板２６から影響を受けることなく、下棚右収納部１０２ａと下棚左収納部１０２ｂに収納される書籍１５のＲＦＩＤタグ３０との電磁波の送受信が行える。
【００４７】
つまり、仕切ＲＦＩＤアンテナ４４とＲＦＩＤタグ３０から発生される電磁波が背面板１７、左右の側面板１９、棚板２６等の電磁遮蔽材から影響を受けることがなく、電磁波の送受信が行え、ＲＦＩＤタグ３０の物品情報の読み出しが正確に行える什器１となっているので、仕切板５０の位置を所望の位置に移動させても、下棚指示ランプ１１２の点灯によって、目的の書籍１５が収納される下棚収納部１０２の場所を常に利用者に報知できる。
【００４８】
以上の説明により実施例１の下棚収納部１０２では、予め仕切板５０に配設された読出装置に相当する仕切ＲＦＩＤアンテナ４４により、物品の収納場所である下棚収納部１０２が検出されているので、下棚収納部１０２の場所を報知装置に相当する下棚指示ランプ１１２によって報知させることで、下棚収納部１０２の場所を利用者に報知でき、利用者は容易に物品の収納場所である下棚収納部１０２を特定できる。
【実施例２】
【００４９】
本発明の実施例２を図６、７を用いて説明する。なお、前記実施例１と同様の構造部分に関しては、同一の符号を付すことにより詳細な説明は省略することとする。
【００５０】
実施例１の下棚収納部１０２においては、図５に示されるように、１つの仕切ＲＦＩＤアンテナ４４で下棚右収納部１０２ａと下棚左収納部１０２ｂに収納される書籍１５のＲＦＩＤタグ３０と電磁波の送受信を行っているが、本実施例においては、下棚右収納部１０２ａと下棚左収納部１０２ｂとに収納される書籍１５のＲＦＩＤタグ３０の電磁波を別個に区画して送受信ができるようにしたものである。
【００５１】
図６に示されるように、仕切板５０によって左右に区画される下棚左収納部１０２ｂと下棚右収納部１０２ａには、ＲＦＩＤタグ３０が貼付された書籍１５が複数収納されている。
【００５２】
図７に示されるように、仕切板５０の前面側には、下棚右指示ランプ１１２ａ、下棚左指示ランプ１１２ｂが上下に設けられている。これら下棚右指示ランプ１１２ａ、下棚左指示ランプ１１２ｂは通信ケーブルに接続され、背面板１７を介して外方に配線されている。
【００５３】
仕切板５０の仕切本体５１と蓋５２の間には、仕切本体５１側から仕切ＲＦＩＤアンテナ４６、磁性体２１、電磁遮蔽材６０、磁性体２１、仕切ＲＦＩＤアンテナ４５が順に介挿され多層状に配設されている。
【００５４】
電磁遮蔽材６０は金属板によって構成されており、左右の仕切ＲＦＩＤアンテナ４６、４５からそれぞれ発生する電磁波に対して、電磁遮蔽材６０から磁界を逆向きに発生させることで、左右の仕切ＲＦＩＤアンテナ４６、４５の電磁波が互いに干渉することを防ぐ特性を有している。
【００５５】
左右の仕切ＲＦＩＤアンテナ４６、４５と電磁遮蔽材６０との間に介挿される磁性体２１は、電磁遮蔽材６０から発生する磁界が左右の仕切ＲＦＩＤアンテナ４６、４５から発生する電磁波に与える影響を防ぐ特性を有している。
【００５６】
このことから、電磁遮蔽材６０の両側面に磁性体２１を左右の仕切ＲＦＩＤアンテナ４６、４５の間に介挿させることにより、下棚左収納部１０２ｂに収納される書籍１５の物品情報を仕切ＲＦＩＤアンテナ４６、下棚右収納部１０２ａに収納される書籍１５の物品情報を仕切ＲＦＩＤアンテナ４５で、それぞれ別個に区画して受信できる。また、ＲＦＩＤタグ３０との電磁波の送受信に関わる仕切ＲＦＩＤアンテナ４６、４５負荷も互いのに分散されるので、ＲＦＩＤタグ３０の物品情報の読み出しが正確に行える。
【００５７】
そこで、図７に示されるように、書庫１００の収納部は棚板２５によって、上棚収納部１０１と下棚収納部１０２とに区分されており、上棚収納部１０１にはファイルケース１４、下棚収納部１０２には書籍１５が収納されている。さらに下棚収納部１０２には仕切板５０が取り付けられており、この仕切板５０によって下棚収納部１０２が左右に区分され、下棚左収納部１０２ｂ、下棚右収納部１０２ａが形成される。
【００５８】
棚板２５には上棚指示ランプ１１１、仕切板５０には下棚右指示ランプ１１２ａ、下棚左指示ランプ１１２ｂがそれぞれ設けられており、管理コンピュータ３からの制御データに基づいて、これらランプの点灯消灯が制御されるようになっている。
【００５９】
そこで、本実施例の什器１が適用された物品管理システムの物品の貸出方法に基づいて、下棚右指示ランプ１１２ａ、下棚左指示ランプ１１２ｂの作用を説明する。書籍１５の貸出しを希望する利用者によって、図１に示される入力端末４より貸出し予約が行われると、管理コンピュータ３では、貸出し予約された書籍１５の収納される書庫１００の収納場所（本実施例においては書庫１００の下棚右収納部１０２ａとする）を特定する。
【００６０】
そして、管理コンピュータ３は特定された収納場所である書庫１００の施解錠装置１１７に解錠信号、解錠ランプ１１５と下棚右指示ランプ１１２ａに点灯信号を送信する。管理コンピュータ３からの解錠信号に基づいて施解錠装置１１７が解錠され、点灯信号に基づいて図７に示されるように解錠ランプ１１５と下棚右指示ランプ１１２ａが点灯される。
【００６１】
そこで、解錠ランプ１１５の点灯を目印として、利用者に書籍１５の収納場所まで移動してもらうとともに、すでに解錠信号によって解錠されたガラス扉１３を利用者に開放してもらう。
【００６２】
下棚右指示ランプ１１２ａは、前述の管理コンピュータ３からの点灯信号に基づいて、予め点灯していることから、利用者に対して下棚右収納部１０２ａに貸出し予約された書籍１５がある旨の報知がされる。
【００６３】
下棚右収納部１０２ａから貸出し予約された書籍１５が取り出されると、ＲＦＩＤアンテナが、書籍１５に貼付されたＲＦＩＤタグからの電磁波を受信できなくことから、管理コンピュータ３は書籍１５の貸出しが行われたと判断し、貸出し完了となる。
【００６４】
以上の説明により実施例２の下棚収納部１０２では、読出装置に相当する仕切ＲＦＩＤアンテナ４６、４５との間に、電磁遮蔽材６０の両側面に磁性体２１を備えた電磁波干渉防止部材が介挿されることで、隣接する仕切ＲＦＩＤアンテナ４６、４５の電磁波が互いに干渉することがなく、それぞれ別個に区画された収納部相当する下棚左収納部１０２ｂと下棚右収納部１０２ａに収納される物品の情報を区画毎に受信できる。
【００６５】
したがって、それぞれ別個に区画された収納部（下棚右収納部１０２ａ、下棚左収納部１０２ｂ）に収納される物品の情報を区画毎に配設された読出装置（仕切ＲＦＩＤアンテナ４５、４６）によって受信できるので、より細かく物品の収納部（下棚右収納部１０２ａ）の場所が特定可能となり、報知装置（下棚右指示ランプ１１２ａ）によって収納部の場所（下棚右収納部１０２ａ）の報知が行われる。
【００６６】
以上、本発明の実施例を図面により説明してきたが、具体的な構成はこれら実施例に限られるものではなく、本発明の要旨を逸脱しない範囲における変更や追加があっても本発明に含まれ、例えば上記実施例１では、物品の収納部の場所を報知する手段として、仕切板５０に設けられた下棚指示ランプ１１２の点灯による表示効果によって、利用者は一目で書籍１５が収納される下棚収納部１１２ａの場所を視認できしているが、本発明はこれに限定されるものではなく、書庫１１６に設けられたスピーカ１１７から発する音によって利用者に報知を行うことで、利用者に物品の収納部の場所を特定させても良い。
【００６７】
また、上記実施例１，２では、下棚収納部１０２に取り付けられる仕切板５０が１つであるが、本発明はこれに限定されるものではなく、報知装置が設けられた仕切板を複数備えるようにしても良い。
【図面の簡単な説明】
【００６８】
【図１】本発明の実施例１における什器が適用された物品管理システムの構成を示すブロック図である。
【図２】（ａ）は、本発明の什器を示す正面図である。  （ｂ）は、什器の扉を開放した状態を示す正面図である。
【図３】図１の什器のＡ―Ａ線の縦断面図である。
【図４】仕切板の分解組立と仕切板の取付を示す斜視図である。
【図５】図３の什器のＢ−Ｂ線の平面断面図である。
【図６】本発明の実施例２である什器の平面断面図である。
【図７】図６の什器のＣ−Ｃ線の正面図である。
【符号の説明】
【００６９】
１                什器
２                通信ケーブル
３                管理コンピュータ
４                入力端末
５                ＲＦＩＤリーダ／ライタ
６                利用者認証カード
７                物品
８                ＬＡＮケーブル
９                管理アンテナ
１０              什器アンテナ
１１              中継装置
１３              ガラス扉
１３ａ            右手掛部
１３ｂ            左手掛部
１４              ファイルケース
１５              書籍
１７              背面板（電磁遮蔽材）
２１              磁性体
２５              棚板（電磁遮蔽材）
２５ａ            取付穴（仕切板の取付位置）
２６              底板の棚板（電磁遮蔽材）
２６ａ            取付穴（仕切板の取付位置）
２７              凸条部
３０              ＲＦＩＤタグ
４４              仕切ＲＦＩＤアンテナ（読出装置）
４５              右側の仕切ＲＦＩＤアンテナ（読出装置）
４６              左側の仕切ＲＦＩＤアンテナ（読出装置）
５０              仕切板
５１              仕切板本体
５１ａ            突起
５１ｂ            突起
５２              蓋
１００            書庫
１０１            上棚収納部（収納部）
１０２            下棚収納部（収納部）
１０２ａ          下棚右収納部（収納部）
１０２ｂ          下棚左収納部（収納部）
１１１            上棚指示ランプ
１１２            下棚指示ランプ
１１２ａ          下棚右指示ランプ
１１２ｂ          下棚左指示ランプ
１１５            解錠ランプ
１１６            スピーカ
１１７            施解錠装置
２００            ラテラル
２０１、２０２    引き出し
２０３、２０４    引き出し
【図１】
2005149343.tif 000003
【図２】
2005149343.tif 000004
【図３】
2005149343.tif 000005
【図４】
2005149343.tif 000006
【図５】
2005149343.tif 000007
【図６】
2005149343.tif 000008
【図７】
2005149343.tif 000009